(57)【特許請求の範囲】
【請求項１】
植物の葉の裏側に薬剤を噴霧するためのエアゾール噴霧器であって、 エアゾール容器とノズルとがチューブを介して連結され、前記チューブの水平状態においてノズル先端部の噴口が上方に向くように配設され、前記噴口がチューブに対して３０〜９０°の角度で形成されていることを特徴とするエアゾール噴霧器。
【請求項２】
チューブが、ＪＩＳ Ｋ−６９１１に定められた曲ゲ強さ試験方法に準じて、支点間長さ（Ｌｖ）を１００ｍｍに設定し、その中央に加圧クサビ（５＋０．１Ｒ）で１ｋｇ加圧したとき、１ｍｍ以上撓む素材からなる請求項１記載のエアゾール噴霧器。
【請求項３】
チューブの素材がポリエチレン、ナイロン及びポリプロピレンからなる群より選ばれる１種である請求項１記載のエアゾール噴霧器。
【請求項４】
チューブの外径が０．５〜５．０ｍｍで、チューブの長さが５．０〜２０ｃｍである請求項１〜３いずれか記載のエアゾール噴霧器。 
【発明の詳細な説明】
【０００１】
【発明の属する技術分野】
本発明はエアゾール噴霧器に関する。より詳しくは、本発明は噴霧する際にチューブが振動し、広範囲に噴霧することができるエアゾール噴霧器に関する。 
【０００２】
【従来の技術】
従来より、エアゾール容器とノズルがチューブで連結されたエアゾール噴霧器は知られている。しかしながら、かかるエアゾール噴霧器において、チューブに対して上方に噴霧できるものについての知見はなく、また、チューブの撓みの程度を選択してより広範囲に噴霧可能なエアゾール噴霧器についても知られていない。
【０００３】
【発明が解決しようとする課題】
従って本発明の目的は、ノズル先端部の噴口の位置やチューブの物性を選択することにより、従来のチューブが付されたエアゾール噴霧器のように単に所望の場所に薬剤を導くだけでなく、植物の葉の裏側のような噴霧が一般に困難な場所に容易に噴霧可能な、また従来の噴霧器よりもより広範囲に噴霧可能なエアゾール噴霧器を提供することにある。さらに本発明の目的は、かかるエアゾール噴霧器を用いる噴霧方法を提供することにある。
【０００４】
【課題を解決するための手段】
本発明者らは上記課題を解決すべく鋭意検討したところ、ノズル先端部の噴口をチューブに対して特定の角度をもって形成することによりチューブに対して上方に噴霧可能となり、さらにはチューブの素材を所定の程度の撓みを有するものとすることにより噴霧の際にチューブが振動し、それによってより広範囲の角度をもって噴霧可能となることを見出し、本発明を完成させた。
【０００５】
即ち、本発明の要旨は、植物の葉の裏側に薬剤を噴霧するためのエアゾール噴霧器であって、 エアゾール容器とノズルとがチューブを介して連結され、前記チューブの水平状態においてノズル先端部の噴口が上方に向くように配設され、前記噴口がチューブに対して３０〜９０°の角度で形成されていることを特徴とするエアゾール噴霧器に関する。
【０００６】
【発明の実施の形態】
本発明のエアゾール噴霧器は、エアゾール容器とノズルがチューブで連結されたエアゾール噴霧器において、ノズル先端部の噴口がチューブに対して３０〜９０°の角度をもって形成されていることを特徴とする。
噴口は噴口がチューブに対して３０〜９０°の角度をもって形成されるが、６０〜９０°の角度が好ましく、９０°の角度が最も好ましい。チューブに与える力の観点から３０°以上が好ましく、９０°が最も好ましい。
【０００７】
本発明のエアゾール噴霧器の一例について図面を用いて説明する。
図１は、本発明のエアゾール噴霧器の縦断面図であり、１はノズル、２はノズル先端部に設けられた噴口、３はチューブである。この例では、噴口２はチューブ３に対して９０°の角度をもって形成されている。
チューブ３は回動可能に設けられており、チューブ３を回動して使用状態としたのが図２である。
【０００８】
図２のようにチューブ３をほぼ水平にした状態で噴霧ボタンを押すと、ノズル先端部の噴口２より上方に向かって薬剤が噴霧される。図３（ａ）に示すような従来のものでは噴霧範囲は０〜３０°の範囲であるが、図１のように噴口がチューブに対して３０〜９０°の範囲にある場合、後述のように本発明においてチューブの素材等を適宜選択すると、噴霧の推進力とそれに対する反発力により振動が生じ、噴霧範囲は図３の（ｂ）に示すように噴口より９０〜１５０°となる。このように本発明のエアゾール容器は従来のものより広い範囲に噴霧することができる。
【０００９】
本発明において、ノズルはチューブの先端部分を所定の程度曲げる等直接チューブを加工して形成しても良く、ノズルを形成する部品をチューブに取り付ける等チューブに間接的に形成しても良い。
【００１０】
かかる構成により、チューブに対して上方に噴霧可能となり、葉の裏側等の従来噴霧が困難であった場所に容易に噴霧することができる。
【００１１】
本発明においては、所定の程度の撓みを有する素材からなるチューブを用いることにより噴霧する際にチューブが振動し、広範囲に噴霧することができるため好ましい。撓みの程度は、ＪＩＳ  Ｋ−６９１１に定められた曲ゲ強さ試験方法に準じて、支点間長さ（Ｌｖ）を１００ｍｍに設定し、その中央に加圧クサビ（５＋０．１Ｒ）で１ｋｇ加圧したとき、１ｍｍ以上撓む程度であれば好ましい。より好ましくは、１ｍｍ以上撓むために１〜５００ｇ加圧を要するものであり、特に好ましくは５〜５０ｇ加圧を要するものである。
上記の撓みの程度を有する素材としては、具体的にはポリエチレン、ナイロン及びポリプロピレン等の高分子化合物や、ステンレス、アルミニウム等の金属が挙げられる。
【００１２】
チューブの外径は特に限定されないが、０．５〜５．０ｍｍが好ましく、１〜３ｍｍがより好ましい。噴霧量の観点から、チューブの外径は０．５ｍｍ以上が好ましく、チューブの振動数の減少を抑える観点から、５．０ｍｍ以下が好ましい。
また、チューブの長さは特に限定されないが、５．０〜２０ｃｍが好ましく、７〜１５ｃｍがより好ましい。振動数、振幅の観点から、長さは５．０ｃｍ以上が好ましく、チューブの振動数の減少を抑える観点から、２０ｃｍ以下が好ましい。
【００１３】
本発明のエアゾール噴霧器の、エアゾール容器の内圧は特に限定されないが、２．５〜１０ｋｇ／ｃｍ2 が好ましく、３〜６ｋｇ／ｃｍ2 がより好ましい。チューブに与える力の観点から２．５ｋｇ／ｃｍ2 以上が好ましく、安全性の観点から１０ｋｇ／ｃｍ2 以下が好ましい。
【００１４】
また、エアゾール内容物の粘度は特に限定されるものではないが、０．３〜１００００センチポイズであることが好ましく、０．５〜２０００センチポイズであることがより好ましい。粘度が高くなるとチューブから噴射できないため、１００００センチポイズ以下のものが好ましい。
なお、本明細書における内容物の粘度とは薬剤等の噴霧される物質の粘度であり、噴射剤を含めた粘度ではない。本明細書における内容物、即ち目的物質の粘度は、ガスを除いたエアゾール原液をＢ型粘度計を利用して測定される。
【００１５】
上記のように、チューブの素材等を適宜選択することにより、より広範囲の角度をもって噴霧することができる。具体的には噴口より９０〜１５０°の角度に噴霧することができる。即ち本発明は、本発明のエアゾール噴霧器を用いることによる、噴口より９０〜１５０°の角度の範囲内に噴霧する噴霧方法をも提供するものである。
【００１６】
本発明のエアゾール噴霧器の製造方法は特に限定されるものではなく、通常用いられている公知のエアゾール容器に、上述のノズル、チューブを適宜固定すれば良い。
【００１７】
【実施例】
以下、実施例および比較例により本発明をさらに詳しく説明するが、本発明はこれらの実施例等によりなんら限定されるものではない。なお、以下の実施例等において、エアゾールの内容物（薬剤）は、フマキラー（株）製のカダンＡＰである。カダンＡＰの粘度は、Ｂ型粘度計によって測定したところ、１０センチポアズであった。また、噴射ガスには液化石油ガスを用い、エアゾール容器の内圧はいずれも４．０ｋｇ／ｃｍ2 とした。実施例で用いたエアゾール噴霧器の概略構成図及びその使用時の状態は、図１及び図２で示したものと同様である。
【００１８】
実施例１
以下に示すエアゾールバルブ、ボタン、チューブ等を用いてエアゾール噴霧器を製造した。
0003689468.tif 000002
【００１９】
本実施例で製造したエアゾール噴霧器を用いて、アザレアの茂みに薬剤を噴射し、ツツジグンバイムシに対する効力試験を行った。結果を表１に示す。
【００２０】
実施例２
以下に示すエアゾールバルブ、ボタン、チューブ等を用いてエアゾール噴霧器を製造した。
0003689468.tif 000003
【００２１】
本実施例で製造したエアゾール噴霧器を用いて、アザレアの茂みに薬剤を噴射し、ツツジグンバイムシに対する効力試験を行った。ツツジグンバイムシの数・密度、薬剤の噴射量等の試験条件は、ほぼ実施例１にそろえて効力試験を実施した。結果を表１に示す。
また、対照としての無処理群（薬剤を噴射していない例）における結果も表１に示す。
【００２２】
【表１】
0003689468.tif 000004
【００２３】
表１より、本発明のエアゾール噴霧器を用いた実施例１及び実施例２では、いずれも死亡率が高く、葉の裏にいるツツジグンバイムシに対しても効果的に薬剤が散布されたことが示された。また、チューブの撓みの程度が１ｍｍである実施例１では、噴射時にチューブが振動してより広範囲に効果的に薬剤が散布されたため、より好適な結果が得られた。
【００２４】
実施例３
以下に示すエアゾールバルブ、ボタン、チューブ等を用いてエアゾール噴霧器を製造した。
0003689468.tif 000005
【００２５】
本実施例で製造したエアゾール噴霧器を用いて、チューブの外径と、チューブの振動数、振幅、薬剤の噴射量、ぬれ面積との関係を調べた。
チューブの振動数とチューブの振幅は、ストロボ式の振動計にて、ビデオに撮り実測した。また、薬剤の噴射量は天秤にて秤量して測定した。また、ぬれ面積は、３０ｃｍ離れた板に２秒間薬剤を噴霧し、その面積を測定した。
結果を表２に示す。
【００２６】
【表２】
0003689468.tif 000006
【００２７】
表２より、いずれのものも広範囲に噴霧できるものであったが、チューブの外径が５ｍｍを越えるとぬれ面積が小さくなる傾向がみられた。
【００２８】
実施例４
以下に示すエアゾールバルブ、ボタン、チューブ等を用いてエアゾール噴霧器を製造した。
0003689468.tif 000007
【００２９】
本実施例で製造したエアゾール噴霧器を用いて、噴口の角度と、チューブの振動数、振幅、ぬれ面積との関係を調べた。
チューブの振動数、チューブの振幅、ぬれ面積は実施例３と同様にして測定した。
結果を表３に示す。
【００３０】
【表３】
0003689468.tif 000008
【００３１】
表３より、噴口の角度が３０°に満たないものは、上方に噴霧できないだけでなく、ぬれ面積が小さいものであった。
【００３２】
実施例５
以下に示すエアゾールバルブ、ボタン、チューブ等を用いてエアゾール噴霧器を製造した。
0003689468.tif 000009
【００３３】
本実施例で製造したエアゾール噴霧器を用いて、チューブの長さと、チューブの振動数、振幅、ぬれ面積との関係を調べた。
チューブの振動数、チューブの振幅、ぬれ面積は実施例３と同様にして測定した。
結果を表４に示す。
【００３４】
【表４】
0003689468.tif 000010
【００３５】
表４より、いずれのものも広範囲に噴霧できるものであったが、チューブの長さが５ｃｍに満たないものはぬれ面積が小さくなる傾向がみられた。
【００３６】
実施例６
以下に示すエアゾールバルブ、ボタン、チューブ等を用いてエアゾール噴霧器を製造した。
0003689468.tif 000011
【００３７】
本実施例で製造したエアゾール噴霧器を用いて、３０ｃｍ離れた板に２秒間薬剤を噴霧し、ぬれ面積と温度降下を求めた。噴射は２回行った。結果を表５に示す。
【００３８】
実施例７
以下に示すエアゾールバルブ、ボタン、チューブ等を用いてエアゾール噴霧器を製造した。
0003689468.tif 000012
【００３９】
本実施例で製造したエアゾール噴霧器を用いて、実施例６と同様にぬれ面積と温度降下を求めた。噴射は２回行った。結果を表５に示す。
【００４０】
比較例１
以下に示すエアゾールバルブ、ボタン、チューブ等を用いてエアゾール噴霧器を製造した。
0003689468.tif 000013
【００４１】
本比較例で製造したエアゾール噴霧器を用いて、実施例６と同様にぬれ面積と温度降下を求めた。噴射は２回行った。結果を表５に示す。
【００４２】
【表５】
0003689468.tif 000014
【００４３】
表５より、振動の少ないチューブほど温度降下が大きく、冷害の可能性が増加する。
【００４４】
【発明の効果】
本発明のエアゾール噴霧器を用いることにより、葉の裏側のような噴霧が困難とされる場所に対しても効果的に噴霧することができる。さらに、本発明のエアゾール噴霧器は噴霧の際にチューブが振動するため、より広範囲に噴霧可能となる。また本発明のエアゾール噴霧器は、噴射ガスの気化熱による温度降下を軽減できる。
【図面の簡単な説明】
【図１】図１は、本発明のエアゾール噴霧器の一例を示す噴霧器の縦断面図である。
【図２】図２は、図１のエアゾール噴霧器の使用状態を示す図である。
【図３】図３は、噴霧時の噴霧の範囲を模式的に示す図である。（ａ）は従来のエアゾール噴霧器を示し、（ｂ）は本発明のエアゾール噴霧器を示す。
【符号の説明】
１  ノズル
２  噴口
３  チューブ
【図１】
0003689468.tif 000015
【図２】
0003689468.tif 000016
【図３】
0003689468.tif 000017